(57)【要約】【課題】  ＰＯＮ区間の伝送距離の差に関わらず、ＢＢＵが送信したＲＲＨ向けトラフィックを意図したタイミングで各ＲＲＨが受信することを可能とし、基地局間の協調動作を行なう。【解決手段】ＯＬＴ１５は、ＲＴＴ管理部１５ｃと、各ＯＮＵ宛てのフレームをＯＮＵ毎に保存するＱｕｅｕｅ１５ｂ−１〜１５ｂ−ｎと、Ｑｕｅｕｅ１５ｂ−１〜１５ｂ−ｎに保存する時間をカウントするタイマーと、を備え、ＲＴＴ管理部１５ｃは、ＯＬＴ１５から伝送距離が最大のＯＮＵにフレームが到着する時間と伝送距離が最大のＯＮＵ以外のＯＮＵにフレームが到着する時間が同一となるようにタイマーをＯＮＵ毎に設定し、伝送距離が最大のＯＮＵ以外のＯＮＵ宛てのフレームをＱｕｅｕｅ１５ｂ−１〜１５ｂ−ｎのいずれかに保存する。【選択図】図３
2018098548.tif 000002
【特許請求の範囲】
【請求項１】
ＯＬＴ（Optical Line Terminal）と複数のＯＮＵ（Optical Network Unit）とが光分岐器を介して接続され、光ファイバ伝送を実現するＰＯＮ（Passive Optical Network）システムであって、
前記ＯＬＴおよび前記各ＯＮＵとの伝送距離に応じて遅延を付加することによって、前記各ＯＮＵから配下の基地局装置に対してフレームを送信するタイミングを統一するＲＴＴ（Round Trip Time）管理部を備えることを特徴とするＰＯＮシステム。
【請求項２】
前記ＯＬＴは、
前記ＲＴＴ管理部と、
前記各ＯＮＵ宛てのフレームを前記ＯＮＵ毎に保存するバッファと、
前記バッファに保存する時間をカウントするタイマーと、を備え、
前記ＲＴＴ管理部は、前記ＯＬＴから前記伝送距離が最大のＯＮＵにフレームが到着する時間と前記伝送距離が最大のＯＮＵ以外のＯＮＵにフレームが到着する時間が同一となるように前記タイマーを前記ＯＮＵ毎に設定し、前記伝送距離が最大のＯＮＵ以外のＯＮＵ宛てのフレームを前記バッファに保存することを特徴とする請求項１記載のＰＯＮシステム。
【請求項３】
前記ＯＬＴは、
前記ＲＴＴ管理部と、
前記各ＯＮＵ宛てのフレームを前記ＯＮＵ毎に保存するバッファと、を備え、
前記ＲＴＴ管理部は、前記ＯＬＴから前記伝送距離が最大のＯＮＵにフレームが到着する時間と前記伝送距離が最大のＯＮＵ以外のＯＮＵにフレームが到着する時間が同一となるように、前記伝送距離が最大のＯＮＵ以外のＯＮＵ宛てのフレームにダミーフレームを挿入することを特徴とする請求項１記載のＰＯＮシステム。
【請求項４】
前記各ＯＮＵは、
前記ＲＴＴ管理部と、
自装置宛てのフレームを保存するバッファと、
前記バッファに保存する時間をカウントするタイマーと、を備え、
前記ＲＴＴ管理部は、前記ＯＬＴから、前記伝送距離が最大のＯＮＵにフレームが到着する時間と自装置にフレームが到着する時間との差分を通知され、前記差分がゼロとなるように前記タイマーを設定し、自装置宛てのフレームを前記バッファに保存することを特徴とする請求項１記載のＰＯＮシステム。
【請求項５】
前記各ＯＮＵは、
前記ＲＴＴ管理部と、
自装置宛てのフレームを保存するバッファと、を備え、
前記ＲＴＴ管理部は、前記ＯＬＴから、前記伝送距離が最大のＯＮＵにフレームが到着する時間と自装置にフレームが到着する時間との差分を通知され、前記差分がゼロとなるように、自装置宛てのフレームにダミーフレームを挿入することを特徴とする請求項１記載のＰＯＮシステム。
【請求項６】
ＯＬＴ（Optical Line Terminal）と複数のＯＮＵ（Optical Network Unit）とが光分岐器を介して接続され、光ファイバ伝送を実現するＰＯＮ（Passive Optical Network）システムに適用されるＯＬＴであって、
自装置および前記各ＯＮＵとの伝送距離に応じて遅延を付加することによって、前記各ＯＮＵから配下の基地局装置に対してフレームを送信するタイミングを統一するＲＴＴ管理部と、
前記各ＯＮＵ宛てのフレームを前記ＯＮＵ毎に保存するバッファと、
前記バッファに保存する時間をカウントするタイマーと、を備え、
前記ＲＴＴ管理部は、自装置から前記伝送距離が最大のＯＮＵにフレームが到着する時間と前記伝送距離が最大のＯＮＵ以外のＯＮＵにフレームが到着する時間が同一となるように前記タイマーを前記ＯＮＵ毎に設定し、前記伝送距離が最大のＯＮＵ以外のＯＮＵ宛てのフレームを前記バッファに保存することを特徴とするＯＬＴ。
【請求項７】
ＯＬＴ（Optical Line Terminal）と複数のＯＮＵ（Optical Network Unit）とが光分岐器を介して接続され、光ファイバ伝送を実現するＰＯＮ（Passive Optical Network）システムに適用されるＯＬＴであって、
自装置および前記各ＯＮＵとの伝送距離に応じて遅延を付加することによって、前記各ＯＮＵから配下の基地局装置に対してフレームを送信するタイミングを統一するＲＴＴ管理部と、
前記各ＯＮＵ宛てのフレームを前記ＯＮＵ毎に保存するバッファと、を備え、
前記ＲＴＴ管理部は、自装置から前記伝送距離が最大のＯＮＵにフレームが到着する時間と前記伝送距離が最大のＯＮＵ以外のＯＮＵにフレームが到着する時間が同一となるように、前記伝送距離が最大のＯＮＵ以外のＯＮＵ宛てのフレームにダミーフレームを挿入することを特徴とするＯＬＴ。
【請求項８】
ＯＬＴ（Optical Line Terminal）と複数のＯＮＵ（Optical Network Unit）とが光分岐器を介して接続され、光ファイバ伝送を実現するＰＯＮ（Passive Optical Network）システムに適用されるＯＮＵであって、
前記ＯＬＴおよび自装置との伝送距離に応じて遅延を付加することによって、自装置および他のＯＮＵから配下の基地局装置に対してフレームを送信するタイミングを統一するＲＴＴ管理部と、
自装置宛てのフレームを保存するバッファと、
前記バッファに保存する時間をカウントするタイマーと、を備え、
前記ＲＴＴ管理部は、前記ＯＬＴから、前記伝送距離が最大のＯＮＵにフレームが到着する時間と自装置にフレームが到着する時間との差分を通知され、前記差分がゼロとなるように前記タイマーを設定し、自装置宛てのフレームを前記バッファに保存することを特徴とするＯＮＵ。
【請求項９】
ＯＬＴ（Optical Line Terminal）と複数のＯＮＵ（Optical Network Unit）とが光分岐器を介して接続され、光ファイバ伝送を実現するＰＯＮ（Passive Optical Network）システムに適用されるＯＮＵであって、
前記ＯＬＴおよび自装置との伝送距離に応じて遅延を付加することによって、自装置および他のＯＮＵから配下の基地局装置に対してフレームを送信するタイミングを統一するＲＴＴ管理部と、
自装置宛てのフレームを保存するバッファと、を備え、
前記ＲＴＴ管理部は、前記ＯＬＴから、前記伝送距離が最大のＯＮＵにフレームが到着する時間と自装置にフレームが到着する時間との差分を通知され、前記差分がゼロとなるように、自装置宛てのフレームにダミーフレームを挿入することを特徴とするＯＮＵ。
【請求項１０】
ＯＬＴ（Optical Line Terminal）と複数のＯＮＵ（Optical Network Unit）とが光分岐器を介して接続され、光ファイバ伝送を実現するＰＯＮ（Passive Optical Network）システムの通信方法であって、
前記ＯＬＴおよび前記各ＯＮＵとの伝送距離に応じて遅延を付加することによって、前記各ＯＮＵから配下の基地局装置に対してフレームを送信するタイミングを統一することを特徴とする通信方法。
【発明の詳細な説明】
【技術分野】
【０００１】
本発明は、ＯＬＴ（Optical Line Terminal）と複数のＯＮＵ（Optical Network Unit）とが光分岐器を介して接続され、光ファイバ伝送を実現する技術に関する。
【背景技術】
【０００２】
近年、移動通信網が提供する無線アクセスネットワークの高速化に伴って、基地局装置がカバーする領域（セル）が狭くなり、その結果、移動通信網を構成するために設置すべき基地局装置数が増大している。このため、複数の基地局装置を収容するためのネットワークとして、１本の光伝送路を複数の加入者で共有する受動光網（PON：Passive Optical Network）システムが検討されている。
【０００３】
ＰＯＮシステムでは、通信事業者の局に設置された１つの光伝送路終端装置（OLT：Optical Line Terminal）が光分岐器を介して複数の加入者側宅内端末（ONU：Optical Network Unit）と接続されている。ＯＬＴは、複数のＯＮＵ、例えば、６４台のＯＮＵに対して時分割多重方式により動的に上り帯域を割り当てることで、高い帯域利用効率を実現している。
【０００４】
また、いわゆる「モバイル基地局」のＣ−ＲＡＮ（Centralized Radio Access Network）のように、スケジュール制御を行なう装置（ＢＢＵ：Base-Band Unit）が、ネットワークの上位にあり、ＲＦ送信装置（ＲＲＨ：Remote Radio Head）・アンテナがネットワーク（モバイルフロントホール）を通して離れた場所にある構成が知られている。このような構成を採る場合、フロントホール区間の伝送距離がそれぞれ異なると、伝送時間が異なり、ＢＢＵが意図しないタイミングでＯＮＵからＲＦ信号が送信される可能性がある。
【０００５】
特許文献１では、移動端末からのデータを、複数の基地局が受信した際、複数の経路を経由して到着したデータについて、滞留時間を最小とするよう最適経路を選択する技術が開示されている。
【先行技術文献】
【特許文献】
【０００６】
【特許文献１】特開２００６−２１７３１６号公報
【発明の概要】
【発明が解決しようとする課題】
【０００７】
今後の議論が想定されているｓｐｌｉｔ  ｐｈｙ技術など、モバイル基地局のＣ−ＲＡＮ形態で、かつ伝送路がイーサネット（登録商標）を利用することが可能となる構成において、帯域を効率的に利用することが可能なＰＯＮシステムの利用が検討されている。ＢＢＵから各ＲＲＨまでの伝送距離が異なる場合、ＢＢＵが意図したタイミングと異なるタイミングでフレームがＲＲＨに到達するため、所望の協調動作が得られない懸念がある。
【０００８】
図７は、従来のＰＯＮシステムにおいて、ＯＮＵからＲＲＨへのＲＦ信号送信に時間差が生じる様子を示す図である。ＢＢＵ１３から送信されたフレーム（Ｄａｔａ）は、ＯＬＴ１５を経由して、各ＯＮＵ２１−１〜２１−３に伝送される。ここでは、ＯＮＵ（１）２１−１、ＯＮＵ（２）２１−２、ＯＮＵ（３）２１−３の順で、ＯＬＴ１５からの伝送距離が大きくなっている。図７に示すように、ＯＬＴ１５と各ＯＮＵ２１−１〜２１−３との間の距離に応じて、各ＯＮＵへのフレーム到達に時間差が生じてしまう。このようなフレームのタイミング不一致に関する補正技術については、従来検討がなされていない。
【０００９】
また、基地局間で連携することを目的として、複数経路のデータ出力タイミングを一致させるよう制御する技術は提案されていない。例えば、Ｃ−ＲＡＮ構成のＣＰＲＩ（Common Public Radio Interface）通信技術については、異なる基地局間におけるタイミング同期については標準化されておらず、各社の独自の技術に委ねられている。
【００１０】
本発明は、このような事情に鑑みてなされたものであり、ＰＯＮ区間の伝送距離の差に関わらず、ＢＢＵが送信したＲＲＨ向けトラフィックを意図したタイミングで各ＲＲＨが受信することを可能とし、基地局間の協調動作を行なうことが可能となるＰＯＮシステム、ＯＬＴ、ＯＮＵおよび通信方法を提供することを目的とする。
【課題を解決するための手段】
【００１１】
（１）上記の目的を達成するために、本発明は、以下のような手段を講じた。すなわち、本発明のＰＯＮシステムは、ＯＬＴ（Optical Line Terminal）と複数のＯＮＵ（Optical Network Unit）とが光分岐器を介して接続され、光ファイバ伝送を実現するＰＯＮ（Passive Optical Network）システムであって、前記ＯＬＴおよび前記各ＯＮＵとの伝送距離に応じて遅延を付加することによって、前記各ＯＮＵから配下の基地局装置に対してフレームを送信するタイミングを統一するＲＴＴ（Round Trip Time）管理部を備えることを特徴とする。
【００１２】
このように、ＯＬＴおよび各ＯＮＵとの伝送距離に応じて遅延を付加することによって、各ＯＮＵから配下の基地局装置に対してフレームを送信するタイミングを統一するので、ＰＯＮ区間の伝送距離の差に関わらず、同じタイミングでＲＲＨ向けトラフィックを送信することが可能となる。その結果、基地局間の協調動作を行なうことが可能となる。
【００１３】
（２）また、本発明のＰＯＮシステムにおいて、前記ＯＬＴは、前記ＲＴＴ管理部と、前記各ＯＮＵ宛てのフレームを前記ＯＮＵ毎に保存するバッファと、前記バッファに保存する時間をカウントするタイマーと、を備え、前記ＲＴＴ管理部は、前記ＯＬＴから前記伝送距離が最大のＯＮＵにフレームが到着する時間と前記伝送距離が最大のＯＮＵ以外のＯＮＵにフレームが到着する時間が同一となるように前記タイマーを前記ＯＮＵ毎に設定し、前記伝送距離が最大のＯＮＵ以外のＯＮＵ宛てのフレームを前記バッファに保存することを特徴とする。
【００１４】
このように、ＯＬＴにおいて、ＯＬＴから伝送距離が最大のＯＮＵにフレームが到着する時間と伝送距離が最大のＯＮＵ以外のＯＮＵにフレームが到着する時間が同一となるようにタイマーをＯＮＵ毎に設定し、伝送距離が最大のＯＮＵ以外のＯＮＵ宛てのフレームをバッファに保存するので、ＯＬＴから各ＯＮＵにフレームが到着するタイミングを統一することが可能となる。これにより、ＰＯＮ区間の伝送距離の差に関わらず、ＲＲＨ向けトラフィックを送信することが可能となる。その結果、基地局間の協調動作を行なうことが可能となる。
【００１５】
（３）また、本発明のＰＯＮシステムにおいて、前記ＯＬＴは、前記ＲＴＴ管理部と、前記各ＯＮＵ宛てのフレームを前記ＯＮＵ毎に保存するバッファと、を備え、前記ＲＴＴ管理部は、前記ＯＬＴから前記伝送距離が最大のＯＮＵにフレームが到着する時間と前記伝送距離が最大のＯＮＵ以外のＯＮＵにフレームが到着する時間が同一となるように、前記伝送距離が最大のＯＮＵ以外のＯＮＵ宛てのフレームにダミーフレームを挿入することを特徴とする。
【００１６】
このように、ＯＬＴにおいて、ＯＬＴから伝送距離が最大のＯＮＵにフレームが到着する時間と伝送距離が最大のＯＮＵ以外のＯＮＵにフレームが到着する時間が同一となるように、伝送距離が最大のＯＮＵ以外のＯＮＵ宛てのフレームにダミーフレームを挿入するので、バッファから出力されるデータ量は予め規定されていることから、ダミーフレームを挿入することによってフレームの送信タイミングを調整することが可能となる。これにより、ＯＬＴから各ＯＮＵにフレームが到着するタイミングを統一することが可能となり、ＰＯＮ区間の伝送距離の差に関わらず、ＲＲＨ向けトラフィックを送信することが可能となる。その結果、基地局間の協調動作を行なうことが可能となる。
【００１７】
（４）また、本発明のＰＯＮシステムにおいて、前記各ＯＮＵは、前記ＲＴＴ管理部と、自装置宛てのフレームを保存するバッファと、前記バッファに保存する時間をカウントするタイマーと、を備え、前記ＲＴＴ管理部は、前記ＯＬＴから、前記伝送距離が最大のＯＮＵにフレームが到着する時間と自装置にフレームが到着する時間との差分を通知され、前記差分がゼロとなるように前記タイマーを設定し、自装置宛てのフレームを前記バッファに保存することを特徴とする。
【００１８】
このように、ＯＮＵにおいて、ＯＬＴから、伝送距離が最大のＯＮＵにフレームが到着する時間と自装置にフレームが到着する時間との差分を通知され、差分がゼロとなるようにタイマーを設定し、自装置宛てのフレームをバッファに保存するので、自装置および他のＯＮＵから配下の基地局装置に対してフレームを送信するタイミングを統一することが可能となる。これにより、ＰＯＮ区間の伝送距離の差に関わらず、ＲＲＨ向けトラフィックを送信することが可能となる。その結果、基地局間の協調動作を行なうことが可能となる。
【００１９】
（５）また、本発明のＰＯＮシステムにおいて、前記各ＯＮＵは、前記ＲＴＴ管理部と、自装置宛てのフレームを保存するバッファと、を備え、前記ＲＴＴ管理部は、前記ＯＬＴから、前記伝送距離が最大のＯＮＵにフレームが到着する時間と自装置にフレームが到着する時間との差分を通知され、前記差分がゼロとなるように、自装置宛てのフレームにダミーフレームを挿入することを特徴とする。
【００２０】
このように、ＯＬＴから、伝送距離が最大のＯＮＵにフレームが到着する時間と自装置にフレームが到着する時間との差分を通知され、差分がゼロとなるように、自装置宛てのフレームにダミーフレームを挿入するので、自装置および他のＯＮＵから配下の基地局装置に対してフレームを送信するタイミングを統一することが可能となる。これにより、ＰＯＮ区間の伝送距離の差に関わらず、ＲＲＨ向けトラフィックを送信することが可能となる。その結果、基地局間の協調動作を行なうことが可能となる。
【００２１】
（６）また、本発明のＯＬＴは、ＯＬＴ（Optical Line Terminal）と複数のＯＮＵ（Optical Network Unit）とが光分岐器を介して接続され、光ファイバ伝送を実現するＰＯＮ（Passive Optical Network）システムに適用されるＯＬＴであって、自装置および前記各ＯＮＵとの伝送距離に応じて遅延を付加することによって、前記各ＯＮＵから配下の基地局装置に対してフレームを送信するタイミングを統一するＲＴＴ管理部と、前記各ＯＮＵ宛てのフレームを前記ＯＮＵ毎に保存するバッファと、前記バッファに保存する時間をカウントするタイマーと、を備え、前記ＲＴＴ管理部は、自装置から前記伝送距離が最大のＯＮＵにフレームが到着する時間と前記伝送距離が最大のＯＮＵ以外のＯＮＵにフレームが到着する時間が同一となるように前記タイマーを前記ＯＮＵ毎に設定し、前記伝送距離が最大のＯＮＵ以外のＯＮＵ宛てのフレームを前記バッファに保存することを特徴とする。
【００２２】
このように、自装置から伝送距離が最大のＯＮＵにフレームが到着する時間と伝送距離が最大のＯＮＵ以外のＯＮＵにフレームが到着する時間が同一となるようにタイマーをＯＮＵ毎に設定し、伝送距離が最大のＯＮＵ以外のＯＮＵ宛てのフレームをバッファに保存するので、自装置から各ＯＮＵにフレームが到着するタイミングを統一することが可能となる。これにより、ＰＯＮ区間の伝送距離の差に関わらず、ＲＲＨ向けトラフィックを送信することが可能となる。その結果、基地局間の協調動作を行なうことが可能となる。
【００２３】
（７）また、本発明のＯＬＴは、ＯＬＴ（Optical Line Terminal）と複数のＯＮＵ（Optical Network Unit）とが光分岐器を介して接続され、光ファイバ伝送を実現するＰＯＮ（Passive Optical Network）システムに適用されるＯＬＴであって、自装置および前記各ＯＮＵとの伝送距離に応じて遅延を付加することによって、前記各ＯＮＵから配下の基地局装置に対してフレームを送信するタイミングを統一するＲＴＴ管理部と、前記各ＯＮＵ宛てのフレームを前記ＯＮＵ毎に保存するバッファと、を備え、前記ＲＴＴ管理部は、自装置から前記伝送距離が最大のＯＮＵにフレームが到着する時間と前記伝送距離が最大のＯＮＵ以外のＯＮＵにフレームが到着する時間が同一となるように、前記伝送距離が最大のＯＮＵ以外のＯＮＵ宛てのフレームにダミーフレームを挿入することを特徴とする。
【００２４】
このように、自装置から伝送距離が最大のＯＮＵにフレームが到着する時間と伝送距離が最大のＯＮＵ以外のＯＮＵにフレームが到着する時間が同一となるように、伝送距離が最大のＯＮＵ以外のＯＮＵ宛てのフレームにダミーフレームを挿入するので、バッファから出力されるデータ量は予め規定されていることから、ダミーフレームを挿入することによってフレームの送信タイミングを調整することが可能となる。これにより、ＯＬＴから各ＯＮＵにフレームが到着するタイミングを統一することが可能となり、ＰＯＮ区間の伝送距離の差に関わらず、ＲＲＨ向けトラフィックを送信することが可能となる。その結果、基地局間の協調動作を行なうことが可能となる。
【００２５】
（８）また、本発明のＯＮＵは、ＯＬＴ（Optical Line Terminal）と複数のＯＮＵ（Optical Network Unit）とが光分岐器を介して接続され、光ファイバ伝送を実現するＰＯＮ（Passive Optical Network）システムに適用されるＯＮＵであって、前記ＯＬＴおよび自装置との伝送距離に応じて遅延を付加することによって、自装置および他のＯＮＵから配下の基地局装置に対してフレームを送信するタイミングを統一するＲＴＴ管理部と、自装置宛てのフレームを保存するバッファと、前記バッファに保存する時間をカウントするタイマーと、を備え、前記ＲＴＴ管理部は、前記ＯＬＴから、前記伝送距離が最大のＯＮＵにフレームが到着する時間と自装置にフレームが到着する時間との差分を通知され、前記差分がゼロとなるように前記タイマーを設定し、自装置宛てのフレームを前記バッファに保存することを特徴とする。
【００２６】
このように、ＯＬＴから、伝送距離が最大のＯＮＵにフレームが到着する時間と自装置にフレームが到着する時間との差分を通知され、差分がゼロとなるようにタイマーを設定し、自装置宛てのフレームをバッファに保存するので、自装置および他のＯＮＵから配下の基地局装置に対してフレームを送信するタイミングを統一することが可能となる。これにより、ＰＯＮ区間の伝送距離の差に関わらず、ＲＲＨ向けトラフィックを送信することが可能となる。その結果、基地局間の協調動作を行なうことが可能となる。
【００２７】
（９）また、本発明のＯＮＵは、ＯＬＴ（Optical Line Terminal）と複数のＯＮＵ（Optical Network Unit）とが光分岐器を介して接続され、光ファイバ伝送を実現するＰＯＮ（Passive Optical Network）システムに適用されるＯＮＵであって、前記ＯＬＴおよび自装置との伝送距離に応じて遅延を付加することによって、前記ＯＬＴから自装置および他のＯＮＵにフレームが到着するタイミングを統一するＲＴＴ管理部と、自装置宛てのフレームを保存するバッファと、を備え、前記ＲＴＴ管理部は、前記ＯＬＴから、前記伝送距離が最大のＯＮＵにフレームが到着する時間と自装置にフレームが到着する時間との差分を通知され、前記差分がゼロとなるように、自装置宛てのフレームにダミーフレームを挿入することを特徴とする。
【００２８】
このように、ＯＬＴから、伝送距離が最大のＯＮＵにフレームが到着する時間と自装置にフレームが到着する時間との差分を通知され、差分がゼロとなるように、自装置宛てのフレームにダミーフレームを挿入するので、自装置および他のＯＮＵから配下の基地局装置に対してフレームを送信するタイミングを統一することが可能となる。これにより、ＰＯＮ区間の伝送距離の差に関わらず、ＲＲＨ向けトラフィックを送信することが可能となる。その結果、基地局間の協調動作を行なうことが可能となる。
【００２９】
（１０）また、本発明の通信方法は、ＯＬＴ（Optical Line Terminal）と複数のＯＮＵ（Optical Network Unit）とが光分岐器を介して接続され、光ファイバ伝送を実現するＰＯＮ（Passive Optical Network）システムの通信方法であって、前記ＯＬＴおよび前記各ＯＮＵとの伝送距離に応じて遅延を付加することによって、前記各ＯＮＵから配下の基地局装置に対してフレームを送信するタイミングを統一することを特徴とする。
【００３０】
このように、ＯＬＴおよび各ＯＮＵとの伝送距離に応じて遅延を付加することによって、各ＯＮＵから配下の基地局装置に対してフレームを送信するタイミングを統一するので、ＰＯＮ区間の伝送距離の差に関わらず、同じタイミングで下りＲＲＨ向けトラフィックを送信することが可能となる。その結果、基地局間の協調動作を行なうことが可能となる。
【発明の効果】
【００３１】
本発明によれば、ＰＯＮ区間の伝送距離（時間）差に関わらず、タイミングを揃えてＲＲＨ向けトラフィックを送信することができるようになり、ＢＢＵがＲＲＨまでの伝送距離差を考慮せずに、基地局間の協調動作を行なうことが可能となる。
【図面の簡単な説明】
【００３２】
【図１】本実施形態に係るＰＯＮシステムの概要を示す図である。
【図２】本実施形態の概念を示す図である。
【図３】実施例１に係るＯＬＴの概略構成を示す図である。
【図４】実施例２に係るＯＬＴの概略構成を示す図である。
【図５】実施例３に係るＯＮＵの概略構成を示す図である。
【図６】実施例４に係るＯＮＵの概略構成を示す図である。
【図７】従来のＰＯＮシステムにおいて、時間差が生じる様子を示す図である。
【発明を実施するための形態】
【００３３】
本発明者らは、ＢＢＵ〜ＲＲＨ間の伝送距離差が存在する場合、ＢＢＵが意図したタイミングと異なるタイミングでフレームがＲＲＨに到達するため、所望の協調動作が得られない懸念があるが、このような送信フレームのタイミング不一致に関する補正技術については、従来検討がなされていない点に着目し、予め算出されたＰＯＮ区間のＯＬＴ〜各ＯＮＵの下り伝送時間差に応じたバッファリングを行なうことによって、意図的に遅延を付加し、これにより時間差をキャンセルできることを見出し、本発明に至った。
【００３４】
すなわち、本発明のＰＯＮシステムは、ＯＬＴ（Optical Line Terminal）と複数のＯＮＵ（Optical Network Unit）とが光分岐器を介して接続され、光ファイバ伝送を実現するＰＯＮ（Passive Optical Network）システムであって、前記各ＯＮＵから配下の基地局装置に対してフレームを送信するタイミングを統一するＲＴＴ管理部を備えることを特徴とする。
【００３５】
これにより、本発明者らは、ＰＯＮ区間の伝送距離の差に関わらず、ＲＲＨ向けトラフィックを送信することを可能とした。その結果、基地局間の協調動作を行なうことを可能とした。以下、本発明の実施形態について、図面を参照しながら具体的に説明する。
【００３６】
図１は、本実施形態に係るＰＯＮシステムの概要を示す図である。このＰＯＮシステム１は、上位ＮＷ（ネットワーク）１１に接続されるＢＢＵ１３にＯＬＴ１５が接続されている。ＯＬＴ１５には、光ファイバ１７および光分岐器１９を介して、複数のＯＮＵ２１−１〜２１−３が接続されている。光分岐器１９とＯＮＵ２１−１〜２１−３は、それぞれ、伝送距離が異なる光ファイバ１７−１〜１７−３によって接続されている。ＯＮＵ２１−１〜２１−３は、それぞれ、ＲＲＨ２３−１〜２３−３と接続されている。ＲＲＨ２３−１〜２３−３は、それぞれ、ＵＥ２５−１〜２５−３と通信を行なう。
【００３７】
図２は、本実施形態の概念を示す図である。基地局の制御部、すなわちＢＢＵ１３からＯＮＵ（１）２１−１、ＯＮＵ（２）２１−２、ＯＮＵ（３）２１−３の配下の無線部（ＲＲＨ）に送信されるトラヒックについて、ＯＬＴ１５から各ＯＮＵ２１−１〜２１−３までの伝送距離（伝送時間）に応じたバッファリング行なって所定の遅延を意図的に与える。そして、各ＯＮＵ２１−１〜２１−３から、配下のＲＲＨへフレーム（Ｄａｔａ）を送出するタイミングを、ＢＢＵ１３が意図していたタイミングに揃える。ここでは、伝送距離が最大である。ＯＮＵ２１−３を基準とし、ＢＢＵ１３からＯＮＵ２１−３にフレームが到着する時間と等しくなるように、ＯＮＵ２１−１およびＯＮＵ２１−２にそれぞれ伝送距離に応じた遅延を与える。
【実施例１】
【００３８】
図３は、実施例１に係るＯＬＴの概略構成を示す図である。実施例１では、ＯＬＴ側で各ＯＮＵまでの伝送距離に応じて付加する遅延量を制御する。図示しないＢＢＵからＯＬＴ１５に入力されたフレームは、Ｃｌａｓｓｉｆｉｃａｔｉｏｎ部１５ａに入力され、ＯＮＵ毎に設けられたバッファとしてのＱｕｅｕｅ１５ｂ−１〜１５ｂ−ｎのいずれかに振り分けられる。ＲＴＴ管理部１５ｃは、タイマーを備えており、ＯＬＴ１５と各ＯＮＵ２１−１〜２１−３までの伝送距離（伝送時間）に応じて、滞留時間を定めてタイマーを設定する。ＯＬＴ１５から伝送距離が最大であるＯＮＵまでの伝送時間をＤｍａｘとし、それ以外のＯＮＵまでの伝送時間をＤｎとすると、各ＯＮＵに対するタイマー設定時間は、（Ｄｍａｘ−Ｄｎ）となる。ＲＴＴ管理部１５ｃは、タイマーが満了したＱｕｅｕｅからフレームを引き取り、ｓｃｈｅｄｕｌｅｒ１５ｄに出力して、タイマーをリセットする。ｓｃｈｅｄｕｌｅｒ１５ｄは、スケジューリングを行なって、ＰＯＮの下り出力ポートへフレームを出力する。次に、実施例１の具体的動作について説明する。
【００３９】
（１−１）ＯＬＴは、配下に接続されるタイミング調整が必要なＯＮＵに対して、１台毎に、ＲＴＴ（Round Trip Time）に基づいて、伝送時間を把握する。
【００４０】
（１−２）ＯＬＴは、タイミング調整に必要なＯＮＵの中で、最も伝送時間の大きいＯＮＵに合わせて、ＯＮＵ毎にＯＬＴでデータを保持しておく時間を計算して保持しておく。
【００４１】
（１−３）ＯＬＴは、上位から対象ＯＮＵ向けのフレームを受領した場合に、Ｑｕｅｕｅにフレームを収容し、タイマーを動作させる。タイマーが（１−２）で計算した時間経過したらＯＮＵへ送信する。
【００４２】
このように、実施例１によれば、ＯＬＴから伝送距離が最大のＯＮＵにフレームが到着する時間と伝送距離が最大のＯＮＵ以外のＯＮＵにフレームが到着する時間が同一となるようにタイマーをＯＮＵ毎に設定し、伝送距離が最大のＯＮＵ以外のＯＮＵ宛てのフレームをバッファに保存するので、ＯＬＴから各ＯＮＵにフレームが到着するタイミングを統一することが可能となる。これにより、ＰＯＮ区間の伝送距離の差に関わらず、ＲＲＨ向けトラフィックを送信することが可能となる。その結果、基地局間の協調動作を行なうことが可能となる。
【実施例２】
【００４３】
図４は、実施例２に係るＯＬＴの概略構成を示す図である。実施例２では、ＯＬＴ側で各ＯＮＵまでの伝送距離に応じて付加する遅延量を制御する。図示しないＢＢＵからＯＬＴ１５に入力されたフレームは、Ｃｌａｓｓｉｆｉｃａｔｉｏｎ部１５ａに入力され、ＯＮＵ毎に設けられたバッファとしてのＱｕｅｕｅ１５ｂ−１〜１５ｂ−ｎにいずれかに振り分けられる。ＲＴＴ管理部１５ｃは、ＯＬＴ１５と各ＯＮＵ２１−１〜２１−３までの伝送距離（伝送時間）に応じて、滞留時間を定め、滞留時間に相当するダミーフレームを挿入する。Ｑｕｅｕｅから出力されるデータ量は予め規定されていることから、ダミーフレームを挿入することによってフレームの送信タイミングを調整することが可能となる。各ｆｉｌｔｅｒ１５ｅ−１〜１５ｅ−ｎは、各Ｑｕｅｕｅ１５ｂ−１〜１５ｂ−ｎから出力されたフレームのうち、ダミーフレームを破棄し、フレームのみをｓｃｈｅｄｕｌｅｒ１５ｄに出力する。ｓｃｈｅｄｕｌｅｒ１５ｄは、スケジューリングを行なって、ＰＯＮの下り出力ポートへフレームを出力する。次に、実施例２の具体的動作について説明する。
【００４４】
（２−１）ＯＬＴは、配下に接続されるタイミング調整が必要なＯＮＵに対して、１台毎のＲＴＴ（Round Trip Time）に基づいて伝送時間を把握する。
【００４５】
（２−２）ＯＬＴは、タイミング調整に必要なＯＮＵの中で、最も伝送時間の大きいＯＮＵに合わせて、ＯＮＵ毎にＯＬＴでデータを保持しておく時間を計算して保持しておく。
【００４６】
（２−３）ＯＬＴは、上位から対象ＯＮＵ向けのフレームを受領した場合に、Ｑｕｅｕｅの滞留フレームを確認し、（２−２）で計算した時間に相当するようダミーフレームを追加した後に、上位から受領したフレームを格納する。
【００４７】
（２−４）ＯＬＴは、Ｑｕｅｕｅに入っているデータをｓｃｈｅｄｕｌｅｒに従い下位ネットワークへ送信するが、送信する際に、ダミーフレームはフィルタで破棄し送信をしない。
【００４８】
このように、実施例２によれば、ＯＬＴから伝送距離が最大のＯＮＵにフレームが到着する時間と伝送距離が最大のＯＮＵ以外のＯＮＵにフレームが到着する時間が同一となるように、伝送距離が最大のＯＮＵ以外のＯＮＵ宛てのフレームにダミーフレームを挿入するので、バッファから出力されるデータ量は予め規定されていることから、ダミーフレームを挿入することによってフレームの送信タイミングを調整することが可能となる。これにより、ＯＬＴから各ＯＮＵにフレームが到着するタイミングを統一することが可能となり、ＰＯＮ区間の伝送距離の差に関わらず、ＲＲＨ向けトラフィックを送信することが可能となる。その結果、基地局間の協調動作を行なうことが可能となる。
【実施例３】
【００４９】
図５は、実施例３に係るＯＮＵの概略構成を示す図である。実施例３では、ＯＮＵ側でＯＬＴからＯＮＵまでの伝送距離に応じて付加する遅延量を制御する。ＯＬＴ１５は、各ＯＮＵとの間のＲｏｕｎｄ  Ｔｒｉｐ  Ｔｉｍｅを把握しており、ＲＴＴ管理部１５ｃが、各ＯＮＵに対し、ＯＬＴ１５からの伝送時間差に応じた滞留時間を通知する。ＯＮＵにおいては、ＯＬＴからの伝送距離（伝送時間）が最大である場合は、特に処理をする必要がない。本実施形態では、ＯＮＵ２１−３がこれに該当する。一方、ＯＬＴからの伝送距離（伝送時間）が最大でない場合、本実施形態では、ＯＮＵ２１−１およびＯＮＵ２１−２では、遅延量の制御を行なう。ここでは、ＯＮＵ２１−１を例にとって説明する。
【００５０】
ＯＬＴ１５からＯＮＵ２１−１に入力されたフレームは、Ｃｌａｓｓｉｆｉｃａｔｉｏｎ部２１ａに入力され、バッファとしてのＱｕｅｕｅ２１ｂに保存される。ＲＴＴ管理部２１ｃは、タイマーを備えており、ＯＬＴ１５から通知された滞留時間に基づいて、トラフィックが到着すると、タイマーを開始する。ＯＬＴ１５から伝送距離が最大であるＯＮＵまでの伝送時間をＤｍａｘとし、それ以外のＯＮＵまでの伝送時間をＤｎとすると、各ＯＮＵに対するタイマー設定時間は、（Ｄｍａｘ−Ｄｎ）となる。ＲＴＴ管理部２１ｃは、タイマーが満了したらＱｕｅｕｅ２１ｂからフレームを引き取り、ｓｃｈｅｄｕｌｅｒ２１ｄに出力して、タイマーをリセットする。ｓｃｈｅｄｕｌｅｒ２１ｄは、スケジューリングを行なって、ＲＲＨへフレームを出力する。次に、実施例３の具体的動作について説明する。
【００５１】
（３−１）ＯＬＴは、配下に接続されるタイミング調整が必要なＯＮＵに対して、１台毎のＲＴＴ（Round Trip Time）に基づいて伝送時間を把握する。
【００５２】
（３−２）ＯＬＴは、タイミング調整に必要なＯＮＵの中で、最も伝送時間の大きいＯＮＵに合わせて、ＯＮＵ毎へデータを保持しておく時間を計算して通知し、ＯＮＵはＯＬＴからデータ保持時間を受領して保持しておく。
【００５３】
（３−３）ＯＬＴは、上位からフレームを受領した場合、ｓｃｈｅｄｕｌｅｒに従い、下位ネットワーク（ＯＮＵ）へ送信する。
【００５４】
（３−４）ＯＮＵは、ＯＬＴから自分宛てのフレームを受領した場合、Ｑｕｅｕｅにフレームを収容し、タイマーを動作させる。タイマーが（３−２）でＯＬＴから受領した保持時間を経過したら下位（ＲＲＨ）へ送信する。
【００５５】
このように、実施例３によれば、ＯＬＴから、伝送距離が最大のＯＮＵにフレームが到着する時間と自装置にフレームが到着する時間との差分を通知され、差分がゼロとなるようにタイマーを設定し、自装置宛てのフレームをバッファに保存するので、自装置および他のＯＮＵから配下の基地局装置に対してフレームを送信するタイミングを統一することが可能となる。これにより、ＰＯＮ区間の伝送距離の差に関わらず、ＲＲＨ向けトラフィックを送信することが可能となる。その結果、基地局間の協調動作を行なうことが可能となる。
【実施例４】
【００５６】
図６は、実施例４に係るＯＮＵの概略構成を示す図である。実施例４では、ＯＮＵ側でＯＬＴからＯＮＵまでの伝送距離に応じて付加する遅延量を制御する。ＯＬＴ１５は、各ＯＮＵとの間のＲｏｕｎｄ  Ｔｒｉｐ  Ｔｉｍｅを把握しており、ＲＴＴ管理部１５ｃが、各ＯＮＵに対し、ＯＬＴ１５からの伝送時間差に応じた滞留時間を通知する。ＯＮＵにおいては、ＯＬＴからの伝送距離（伝送時間）が最大である場合は、特に処理をする必要がない。本実施形態では、ＯＮＵ２１−３がこれに該当する。一方、ＯＬＴからの伝送距離（伝送時間）が最大でない場合、本実施形態では、ＯＮＵ２１−１およびＯＮＵ２１−２では、遅延量の制御を行なう。ここでは、ＯＮＵ２１−１を例にとって説明する。
【００５７】
ＯＬＴ１５からＯＮＵ２１−１に入力されたフレームは、Ｃｌａｓｓｉｆｉｃａｔｉｏｎ部２１ａに入力され、バッファとしてのＱｕｅｕｅ２１ｂに保存される。ＲＴＴ管理部２１ｃは、ＯＬＴ１５から通知された滞留時間に基づいて、トラフィックが到着すると、滞留時間に相当するダミーフレームを挿入する。Ｑｕｅｕｅ２１ｂから出力されるデータ量は予め規定されていることから、ダミーフレームを挿入することによってフレームの送信タイミングを調整することが可能となる。ｆｉｌｔｅｒ２１ｅは、Ｑｕｅｕｅ２１ｂから出力されたフレームのうち、ダミーフレームを破棄し、フレームのみをｓｃｈｅｄｕｌｅｒ２１ｄに出力する。ｓｃｈｅｄｕｌｅｒ２１ｄは、スケジューリングを行なって、ＲＲＨへフレームを出力する。次に、実施例４の具体的動作について説明する。
【００５８】
（４−１）ＯＬＴは、配下に接続されるタイミング調整が必要なＯＮＵに対して、１台毎のＲＴＴ（Round Trip Time）に基づいて伝送時間を把握する。
【００５９】
（４−２）ＯＬＴは、タイミング調整に必要なＯＮＵの中で、最も伝送時間の大きいＯＮＵに合わせて、ＯＮＵ毎へデータを保持しておく時間を計算して通知し、ＯＮＵはＯＬＴからデータ保持時間を受領して保持しておく。
【００６０】
（４−３）ＯＬＴは、上位からフレームを受領した場合、ｓｃｈｅｄｕｌｅｒに従い、下位ネットワーク（ＯＮＵ）へ送信する。
【００６１】
（４−４）ＯＮＵは、ＯＬＴから自分宛てのフレームを受領した場合、Ｑｕｅｕｅの滞留フレームを確認し、（４−２）でＯＬＴから受領した時間に相当するようダミーフレームをＱｕｅｕｅに追加した後に、上位から受領したフレームを格納する。
【００６２】
（４−５）ＯＬＴは、Ｑｕｅｕｅに入っているデータをｓｃｈｅｄｕｌｅｒに従い下位（ＲＲＨ）へ送信するが、送信する際に、ダミーフレームはフィルタで破棄し送信をしない。
【００６３】
このように、実施例４によれば、ＯＬＴから、伝送距離が最大のＯＮＵにフレームが到着する時間と自装置にフレームが到着する時間との差分を通知され、差分がゼロとなるように、自装置宛てのフレームにダミーフレームを挿入するので、自装置および他のＯＮＵから配下の基地局装置に対してフレームを送信するタイミングを統一することが可能となる。これにより、ＰＯＮ区間の伝送距離の差に関わらず、ＲＲＨ向けトラフィックを送信することが可能となる。その結果、基地局間の協調動作を行なうことが可能となる。
【００６４】
以上説明したように、本実施形態において、ＰＯＮシステムは、ＯＮＵ毎の下り伝送時間（＝ＲＴＴ／２）を常時把握しているため、この情報を活用してバッファ滞留時間を決めることが可能である。この滞留時間をＯＮＵ毎に付加することによって、ＰＯＮ区間の伝送距離（遅延）差に関わらず、ＲＲＨへの送信タイミングを揃えて、ＲＲＨ向けトラフィックを伝送することができるようになり、ＢＢＵがＲＲＨまでの伝送距離差を考慮せずに、基地局間の協調動作を行なうことができる。
【符号の説明】
【００６５】
１  ＰＯＮシステム
１１  上位ＮＷ（ネットワーク）
１３  ＢＢＵ
１５  ＯＬＴ
１５ａ  Ｃｌａｓｓｉｆｉｃａｔｉｏｎ部
１５ｂ−１〜１５ｂ−ｎ  Ｑｕｅｕｅ（バッファ）
１５ｃ  ＲＴＴ管理部
１５ｄ  ｓｃｈｅｄｕｌｅｒ
１５ｅ−１〜１５ｅ−ｎ  ｆｉｌｔｅｒ
１７、１７−１〜１７−３  光ファイバ
１９  光分岐器
２１−１〜２１−３  ＯＮＵ
２１ａ  Ｃｌａｓｓｉｆｉｃａｔｉｏｎ部
２１ｂ  Ｑｕｅｕｅ（バッファ）
２１ｃ  ＲＴＴ管理部
２１ｄ  ｓｃｈｅｄｕｌｅｒ
２１ｅ  ｆｉｌｔｅｒ
２３−１〜２３−３  ＲＲＨ
２５−１〜２５−３  ＵＥ
【図１】
2018098548.tif 000003
【図２】
2018098548.tif 000004
【図３】
2018098548.tif 000005
【図４】
2018098548.tif 000006
【図５】
2018098548.tif 000007
【図６】
2018098548.tif 000008
【図７】
2018098548.tif 000009